(57)【要約】【課題】複写機等の梱包ケースへの収納時に、複写機等が梱包用緩衝部材に当たっても、複写機等が梱包用緩衝部材から受ける衝撃力が小さくなるようにする。【解決手段】この梱包用緩衝部材１０は、被梱包体を梱包ケース１１に梱包する際に使用される部材であって、第１支持部１２と第１位置決め部１３とを備えている。第１支持部１２は、被梱包体の側壁に当接可能であり、上辺の少なくとも一部に斜辺部１２ｃを有している。第１位置決め部１３は、第１支持部１２とともに梱包ケースの底面に配置され、第１支持部１２を梱包ケースに対して位置決めする部分である。【選択図】図２
2009241960.tif 000002
【特許請求の範囲】
【請求項１】
被梱包体を梱包ケースに梱包する際に使用される梱包用緩衝部材であって、
被梱包体の側壁に当接可能であり、上辺の少なくとも一部に斜辺部を有する支持部と、
前記支持部とともに前記梱包ケースの底面に配置され、前記支持部を前記梱包ケースに対して位置決めするための位置決め部と、
を備えた梱包用緩衝部材。
【請求項２】
前記支持部と前記位置決め部とは、１つの部材を曲げ加工して形成された１つのユニットとして構成されている、請求項１に記載の梱包用緩衝部材。
【請求項３】
前記支持部の上辺に連続して、かつ上方に向かうにしたがって被梱包体が収納される側から徐々に離れるように折り曲げられて形成されたガイド部をさらに備えた、請求項１又は２に記載の梱包用緩衝部材。
【請求項４】
前記支持部又は前記位置決め部と連続して形成され、前記支持部に当接する被梱包体の側壁に隣接する他の側壁に当接可能な隣接支持部と、
前記隣接支持部に連続して形成され前記隣接支持部を前記梱包ケースに対して位置決めするための隣接位置決め部と、
をさらに備えた、請求項１から３のいずれかに記載の梱包用緩衝部材。
【請求項５】
前記支持部及び位置決め部によって形成された１つのユニットは、内部に空間を有しており、
前記梱包ケースの底面には、一部を切り起こして形成された切り起こし部が形成されており、
前記切り起こし部は、前記ユニット内部の空間において前記支持部又は前記位置決め部と当接し、前記ユニットの前記梱包ケースに対する位置決めを行う、
請求項２に記載の梱包用緩衝部材。
【請求項６】
前記支持部及び前記位置決め部は、段ボール、板紙及び紙系積層材のいずれかにより形成されている、請求項１から５のいずれかに記載の梱包用緩衝部材。
【発明の詳細な説明】
【技術分野】
【０００１】
本発明は、梱包用緩衝部材、特に、事務用製品等において側壁に開閉自在なカバー部材を有する被梱包体を梱包する際に使用して有効な梱包用緩衝部材に関する。
【背景技術】
【０００２】
例えば複写機等を運搬する際には、段ボール等で形成された梱包ケースが用いられる。この梱包ケースの内部には、被梱包体を外部からの衝撃から保護するために、梱包用緩衝部材が設けられている。
【０００３】
この種の梱包用緩衝部材は、発泡スチロールや段ボール等で形成されており、被梱包体と梱包ケースの底面との間に挿入される底パッド、また被梱包体と梱包ケースの側面との間に挿入されるサイドパッドがある。これらの梱包用緩衝部材は、衝撃の緩和だけではなく、被梱包体の底面や側壁に接触し、被梱包体を支持することによって、被梱包体を梱包ケースの所定の位置に位置決めする機能をも有している。
【特許文献１】特開２００５−２８９４６０号公報
【発明の開示】
【発明が解決しようとする課題】
【０００４】
図１に、本件出願人が使用している梱包用緩衝部材１を示す。この梱包用緩衝部材１は、サイドパッドとして機能するものであり、梱包ケース２の４つのコーナー部分のそれぞれに配置されている。梱包用緩衝部材１は、１枚の帯状の段ボールを折り曲げて形成したものであり、被梱包体としての複写機３の後壁３ａに当接可能な第１支持部４と、複写機３の側壁３ｂに当接可能な第２支持部５とを有している。そして、複写機３を梱包ケース２に収納する際には、複写機３を梱包ケース２の上方から徐々に降ろしていき、各梱包用緩衝部材１の第１，第２支持部４，５によって複写機の各壁を支持する。
【０００５】
以上のような梱包作業において、複写機３の位置がずれる場合がある。すると、複写機３の側壁の底部が梱包用緩衝部材１と衝突することになる。ここで、複写機３の後壁３ａには、開閉可能な外装カバーが設けられている場合が多い。このような状況において、複写機３の後壁３ａが梱包用緩衝部材１の第１支持部４の上辺（図１のＡ部）に衝突し、複写機３の後壁３ａ、特に外装カバーが衝撃を受けると、外装カバーが外れてしまうという問題が発生する。
【０００６】
本発明の課題は、複写機等の梱包ケースへの収納時に、複写機等が梱包用緩衝部材に当たっても、複写機等が梱包用緩衝部材から受ける衝撃力が小さくなるようにすることにある。
【課題を解決するための手段】
【０００７】
請求項１に係る梱包用緩衝部材は、被梱包体を梱包ケースに梱包する際に使用される部材であって、支持部と位置決め部とを備えている。支持部は、被梱包体の側壁に当接可能であり、上辺の少なくとも一部に斜辺部を有している。位置決め部は、支持部とともに梱包ケースの底面に配置され、支持部を梱包ケースに対して位置決めする部分である。
【０００８】
この梱包用緩衝部材は、梱包ケースの底面に配置される。このとき、位置決め部によって、梱包用緩衝部材（特に支持部）が梱包ケースの底面の所定位置に位置決めされる。そして、被梱包体を梱包ケースに収納する際には、支持部が被梱包体の側壁に当接し、これにより被梱包体が支持される。
【０００９】
ここで、支持部の上辺の少なくとも一部には斜辺部が形成されている。したがって、被梱包体を梱包ケースに収納する際に、仮に被梱包体の底部が支持部の上辺に衝突しても、被梱包体と支持部の上辺とが同時に当たる部分の面積が小さくなる。このため、被梱包体が受ける衝撃力が小さくなり、被梱包体が、底部の近傍に開閉可能な外装カバーを有している複写機等の場合でも、外装カバーが外れる等の不具合を避けることができる。
【００１０】
請求項２に係る梱包用緩衝部材は、請求項１の梱包用緩衝部材において、支持部と位置決め部とは、１つの部材を曲げ加工して形成された１つのユニットとして構成されている。
【００１１】
この場合は、例えば１枚の段ボールを折り曲げて梱包用緩衝部材を構成することができ、構成が簡単で、かつ製造も容易になる。
【００１２】
請求項３に係る梱包用緩衝部材は、請求項１又は２の梱包用緩衝部材において、支持部の上辺に連続して、かつ上方に向かうにしたがって被梱包体が収納される側から徐々に離れるように折り曲げられて形成されたガイド部をさらに備えている。
【００１３】
この梱包用緩衝部材では、支持部の上辺に連続してガイド部が設けられている。このガイド部は、上方に向かうにしたがって被梱包体が収納される側から徐々に離れるように折り曲げられて形成されている。言い換えれば、上方では被梱包体が収納される側から離れているが、下方に行くにしたがって支持部の上辺に近づいている。このため、被梱包体を上方から梱包ケースに収納していく際に、被梱包体が支持部からずれた位置にある場合でも、被梱包体がガイド部に沿って支持部の上辺に案内されることになり、被梱包体をスムーズに所定の位置に配置することができる。
【００１４】
請求項４に係る梱包用緩衝部材は、請求項１から３のいずれかの梱包用緩衝部材において、隣接支持部と隣接位置決め部とをさらに備えている。隣接支持部は、支持部又は位置決め部と連続して形成され、支持部に当接する被梱包体の側壁に隣接する他の側壁に当接可能である。隣接位置決め部は、隣接支持部に連続して形成され、隣接支持部を梱包ケースに対して位置決めする。
【００１５】
この場合は、被梱包体の隣接する側壁、例えば複写機の後壁とそれに直交して形成された横壁とを、支持部及び隣接支持部によって支持することができる。そして、支持部及び隣接支持部、さらにはそれらを位置決めする位置決め部及び隣接位置決め部が連続して形成されているので、簡単な構成で梱包用緩衝部材を構成でき、かつ製造コストを安価に抑えることができる。
【００１６】
請求項５に係る梱包用緩衝部材は、請求項２の梱包用緩衝部材において、支持部及び位置決め部によって形成された１つのユニットは、内部に空間を有しており、梱包ケースの底面には、一部を切り起こして形成された切り起こし部が形成されている。そして、切り起こし部は、ユニット内部の空間において支持部又は位置決め部と当接し、ユニットの梱包ケースに対する位置決めを行う。
【００１７】
ここでは、梱包ケースの底面に形成された切り起こし部を、梱包用緩衝部材の内部空間に挿入し、支持部又は位置決め部と当接させて、支持部及び位置決め部からなるユニットを梱包ケースに対して位置決めしている。このため、簡単な構成で支持部の位置決めを行うことができる。
【００１８】
請求項６に係る梱包用緩衝部材は、請求項１から５のいずれかの梱包用緩衝部材において、支持部及び位置決め部は、段ボール、板紙及び紙系積層材のいずれかにより形成されている。
【発明の効果】
【００１９】
以上のような本発明では、支持部の上辺の少なくとも一部には斜辺部が形成されているので、被梱包体を梱包ケースに収納する際に、被梱包体が支持部の上辺に衝突しても、被梱包体が支持部から受ける衝撃力が小さくなる。このため、被梱包体が、底部の近傍に開閉可能な外装カバーが設けられている複写機等の場合でも、外装カバーが外れる等の不具合を避けることができる。
【発明を実施するための最良の形態】
【００２０】
［梱包用緩衝部材の構成］
図２に本発明の一実施形態による梱包用緩衝部材１０を示す。この図２は、梱包ケース１１のコーナーに設置された１つの梱包用緩衝部材の外観斜視図である。
【００２１】
この梱包用緩衝部材１０は、支持部としての第１支持部１２と、第１支持部１２とともに箱形状を構成する第１位置決め部１３と、隣接支持部としての第２支持部１４と、第２支持部１４とともに箱形状を構成する隣接位置決め部としての第２位置決め部１５と、を有している。これらの各部分は、後に詳述するように、１枚の帯状の段ボールを折り曲げて形成され、１つのユニットとして形成されている。
【００２２】
第１支持部１２は、梱包ケース１１の底面１１ａに対して垂直に配置された長方形状の平面であり、その一平面１２ａが被梱包体としての複写機の後壁に当接することにより複写機を支持するものである。第１支持部１２の上辺は、一部の直線部１２ｂを残して、上方に行くにしたがって被梱包体から離れるように折り曲げられている。このため、折り曲げられた部分には、図２の破線で示すように、斜辺部１２ｃが形成されている。なお、折り曲げられた部分は、ほぼ三角形状のガイド部１２ｄとなっている。このガイド部１２ｄは、詳細は後述するが、複写機を上方から梱包ケース１１に対して収納する際のガイドとして機能する。
【００２３】
第１位置決め部１３は、第１支持部１２から９０度の角度で折り曲げられた第１壁１３ａと、第１壁１３ａからさらに９０度折り曲げられて第１支持部１２と平行である第２壁１３ｂとを有している。第１壁１３ａ及び第２壁１３ｂはそれぞれ第１支持部１２と同様に平面形状である。また、第２壁１３ｂの上辺に連続して台形状の折り曲げ部１３ｃが形成されている。そして、これらの各壁１３ａ，１３ｂと第１支持部１２とによって、少なくとも上下が開放された箱形状が構成されており、これらの壁の内部には空間が構成されている。さらに、第１位置決め部１３の各壁１３ａ，１３ｂ及び後述する梱包ケース１１側の切り起こし部によって、梱包ケース１１に対する第１支持部１２の位置決めが行われている。
【００２４】
第２支持部１４は、第１支持部１２と同様に、梱包ケース１１の底面１１ａに対して垂直に配置された長方形状の平面であり、その一平面１４ａが被梱包体としての複写機の横壁に当接することにより、複写機を支持するものである。第２支持部１４の上辺は、上方に行くにしたがって被梱包体から離れるように折り曲げられ、折り曲げられた部分は、ほぼ台形状のガイド部１４ｂとなっている。このガイド部１４ｂは、詳細は後述するが、複写機を上方から梱包ケース１１に対して収納する際のガイドとして機能する。
【００２５】
第２位置決め部１５は、第１位置決め部１３と同様に、第２支持部１４から９０度の角度で折り曲げられた第１壁１５ａ（図２では表れていない。図３の展開図を参照）と、第１壁１５ａからさらに９０度折り曲げられて第２支持部１４と平行である第２壁１５ｂとを有している。第１壁１５ａ及び第２壁１５ｂはそれぞれ第２支持部１４と同様に平面形状である。また、第２壁１５ｂの上辺に連続して台形状の折り曲げ部１５ｃが形成されている。そして、これらの各壁１５ａ，１５ｂと第２支持部１４とによって、少なくとも上下が開放された箱形状が構成されており、これらの壁の内部には空間が構成されている。さらに、第２位置決め部１５の各壁１５ａ，１５ｂ及び後述する梱包ケース１１側の切り起こし部によって、梱包ケース１１に対する第２支持部１４の位置決めが行われている。
【００２６】
［梱包用緩衝部材の展開図］
図３に、梱包用緩衝部材１０の展開図を示す。この図において、図２と同じ符号を示した部分は図２と同じ部分を示している。この展開図にのみ表れている部分について以下に説明する。なお、図３の展開図において、破線あるいは一点鎖線で示した線は、折り曲げ線を示しており、この部分で、山折り又は谷折りすることによって、図２に示した１つのユニットを形成することができる。
【００２７】
図３において、第１支持部１２の左側に連続して形成されている部分は、第１延長部１６及び補強部１７である。第１延長部１６は第２位置決め部１５の第１壁１５ａと同じ幅を有している。また、第１支持部１２と第１延長部１６との境界部における上下方向の中央部には、孔１８が形成されている。さらに、第１延長部１６と補強部１７との境界部における上下方向の中央部には、コ字状の切り込みを入れることによって第１舌片部１９が形成されている。
【００２８】
また、第２支持部１４の右側には、第２支持部１４に連続して第２延長部２０が形成されている。さらに、第２支持部１４と第２延長部２０との境界において、上下方向の中央部には、切り込みを入れることによって第２舌片部２１が形成されている。
【００２９】
さらに、第２位置決め部１５の第２壁１５ｂのほぼ中央部には、切り込みを入れることによって第３舌片部２２が形成されている。
【００３０】
［梱包ケースの底シート］
図４に、梱包ケース１０の底面に載置される底シート２５を示す。この底シート２５は、段ボールで形成されており、各部に切り込み、孔等が形成されている。ここでは、梱包用緩衝部材１０と関連する部分についてのみ説明する。
【００３１】
底シート２５の図４における左側の縁部には、位置決め係止部２５ａが形成されている。位置決め係止部２５ａは底シート２５の一部に切り込みを入れて形成されたものであり、この位置決め係止部２５ａを起こすことによって切り起こし部２５ａとなる。
【００３２】
また、同様に、底シート２５の図４における上側の縁部には、位置決め係止部２５ｂが形成されている。位置決め係止部２５ｂは、底シート２５の一部に切り込みを入れて形成されたものであり、この位置決め係止部２５ｂを起こすことによって切り起こし部２５ｂとなる。
【００３３】
これらの切り起こし部２５ａ，２５ｂは、それぞれ第１支持部１２及び第１位置決め部１３によって、また第２支持部１４及び第２位置決め部１５によって形成される内部空間に差し込むことが可能である。
【００３４】
［梱包用緩衝部材の組み立て］
次に、図３で示した展開状態の梱包用緩衝部材１０の組み立てについて説明する。図３に示す展開状態の梱包用緩衝部材１０において、破線で示す部分を９０度の角度で谷折りする。これにより、図２で示したような状態のユニットを得ることができる。ここでは、補強部１７が第２位置決め部１５の第２壁１５ｃの内側に配置されることになる。また、第１延長部１６と第２延長部２０とが接触した状態で配置されることになる。なお、図３の展開図において、一点鎖線で示した部分より上の部分は、単に所定の角度で折り曲げられるだけであり、他の部分に差し込んで固定されるわけではない。したがって、単に折り曲げるだけであれば、段ボールの復元力で元の平面状態に戻り、所望の角度(傾斜状態)を維持しにくい。そこで、一点鎖線で示した部分には、所定の間隔で複数の切り込みが形成されており、一点鎖線部分を一端折り曲げれば、所定の角度(傾斜)が維持できるようにしている。
【００３５】
以上のように折り曲げ加工をした後、第３舌片部２２を内側に折り曲げ、それによって生じた開口に、第１舌片部１９を挿入する。また、第１舌片部１９が形成された部分には、孔が形成されるので、この孔に第３舌片部２２を差し込む。さらに、第２舌片部２１を孔１８に差し込む。以上により、梱包用緩衝部材１０は図２で示した形状に維持される。
【００３６】
そして、図５に示すように、底シート２５の位置決め用係止部（切り起こし部）２５ａ，２５ｂを切り起こし、それらが梱包用緩衝部材１０の内部空間に差し込まれるようにして梱包用緩衝部材１０を配置する。これにより、位置決め用係止部２５ａ，２５ｂが第１及び第２支持部１２，１４に、あるいは第１及び第２位置決め部１３，１５の第１壁１３ａ，１５ａに当接する。この当接によって、梱包用緩衝部材１０の梱包ケース１１（底シート２５）に対する相対位置が決定され、その位置に梱包用緩衝部材１０を固定することが可能となる。
【００３７】
［被梱包体の収納］
以上のようにして梱包ケース１１に梱包用緩衝部材１０を配置し、また底シート２５に形成された、あるいは他の部材で形成された底パッドを配置し、上方から被梱包体としての複写機を底シート２５の上に載置していく。
【００３８】
このとき、仮に複写機が正規の位置から後方にずれた場合は、複写機の底部が第１支持部１２の上部に当たることになる。しかし、複写機の底部がガイド部１２ｄに当たった場合は、複写機はこのガイド部１２ｄの傾斜に沿って正規の位置にガイドされることになる。また、複写機が横方向にずれた場合は、第２支持部１４のガイド部１４ｂによって、前記同様に複写機を正規の収納位置にガイドすることが可能となる。
【００３９】
また、複写機の収納時に、複写機の底部が第１支持部１２の直線部１２ｂに当たる場合がある。この実施形態では、第１支持部１２に斜辺部１２ｃが形成されていることによって、図１に示した構造の緩衝部材に比較して直線部１２ｂが非常に短い。すなわち、複写機の底部に、同時に接触する部分が短い。このため、仮に複写機が第１支持部１２の上辺に衝突しても、複写機が受ける衝撃が小さくなる。したがって、従来の梱包時に発生していた外装カバーが外れてしまうといった不具合を少なくすることができる。
【００４０】
［他の実施形態］
（ａ）前記実施形態では、第１支持部１２及び第２支持部１４の上辺において、それぞれガイド部１２ｄ，１４ｂを設けたが、このガイド部１２ｄ，１４ｂはなくてもよい。また、各位置決め部１３，１５の上辺に折り曲げ部を設けたが、これらの折り曲げ部はなくてもよい。
【００４１】
（ｂ）第１支持部１２における斜辺部の角度、向きについては、前記実施形態に限定されるものではなく、また斜辺部の個数についても１個所に限定されるものではない。
【００４２】
（ｃ）梱包用緩衝部材の梱包ケースへの固定、位置決めのための構成については前記実施形態に限定されない。例えば、梱包用緩衝部材自体に固定、位置決め用の部分を設けても良い。
【図面の簡単な説明】
【００４３】
【図１】本件出願人が現在使用している梱包用緩衝部材の外観斜視図。
【図２】本発明の一実施形態による梱包用緩衝部材の外観斜視図。
【図３】図２に示した梱包用緩衝部材の展開図。
【図４】梱包ケースに用いられる底シートの展開図。
【図５】梱包ケースに図２に示した梱包用緩衝部材を配置する状態を示す図。
【符号の説明】
【００４４】
１０  梱包用緩衝部材
１１  梱包ケース
１２  第１支持部
１２ｂ  直線部
１２ｃ  斜辺部
１２ｄ  ガイド部
１３  第１位置決め部
１４  第２支持部（隣接支持部）
１５  第２位置決め部（隣接位置決め部）
２５ａ，２５ｂ  切り起こし部
【図１】
2009241960.tif 000003
【図２】
2009241960.tif 000004
【図３】
2009241960.tif 000005
【図４】
2009241960.tif 000006
【図５】
2009241960.tif 000007